(57)【要約】【課題】画像データの修正処理の利便性を向上させることが可能な画像処理装置、画像形成装置及びプログラムを提供することである。【解決手段】画像処理装置２において、前記第１加工部１５４は、処理対象の画像データである対象データに、前記識別画像及び前記修正指示画像が含まれると判定されている場合に、前記原画像に前記修正指示画像に基づく修正処理が施されている修正後画像を表す修正後画像データを生成および出力する。前記第２加工部１５５は、前記対象データに前記識別画像に含まれていないと判定されている場合に、前記原画像に前記修正指示画像に基づく修正処理が施されている画像と、前記原画像が変更されていることを示す通知画像と、を含む修正中画像を表す修正中画像データを生成および出力する。【選択図】図１
2019102873.tif 000002
【特許請求の範囲】
【請求項１】
処理対象の画像データである対象データを取得する取得部と、
前記対象データから、原画像と、前記原画像に付加されている付加画像と、を抽出する抽出部と、
前記付加画像に、前記原画像の修正許可を示す識別画像と、前記識別画像に対応すると共に前記原画像に実行すべき修正処理を示す修正指示画像とが含まれるか否かを判定する判定部と、
前記付加画像に前記識別画像及び前記修正画像が含まれると判定されている場合に、前記原画像に前記修正指示画像に基づく修正処理を施し、修正後画像を表す修正後データを生成および出力する第１加工部と、
前記識別画像が前記付加画像に含まれていないと判定されている場合に、前記原画像に前記修正処理を施した前記修正後画像と、前記原画像が変更されていることを示す通知画像と、を含む修正中画像を表す修正中データを生成および出力する第２加工部と、
を備える画像処理装置。
【請求項２】
前記修正処理は、前記原画像に文字認識処理を行うことによって前記原画像に含まれる文字列を表すテキストデータを生成し、前記テキストデータに前記修正指示画像に基づく文字列の修正を行う処理を含む、
請求項１に記載の画像処理装置。
【請求項３】
前記抽出部は、前記対象データを表す原本データを記憶部から取得し、前記対象データが表す画像のうち前記原本データが表す画像と共通の内容を示す部分を原画像として抽出し、前記対象データが表す画像のうち前記原本データが表す画像と相違する内容を示す部分を付加画像として抽出する、
請求項１又は２に記載の画像処理装置。
【請求項４】
前記判定部は、前記付加画像から予め定められた特徴画像および前記特徴画像に対応する画像を抽出する処理を実行し、前記特徴画像に対応する画像が前記修正指示画像であると判定し、さらに前記付加画像において前記修正指示画像を基準として予め定められた位置関係を有する領域に他の画像が存在する場合に、前記他の画像が前記識別画像であると判定する、
請求項１〜３のいずれか１項に記載の画像処理装置。
【請求項５】
前記通知画像は、前記修正後画像にオーバーレイされる画像を含む、
請求項１〜４のいずれかに記載の画像処理装置。
【請求項６】
前記通知画像は、前記修正後画像における修正箇所に付加される画像又は色情報を含む、
請求項１〜５のいずれか１項に記載の画像処理装置。
【請求項７】
請求項１〜６のいずれか１項に記載の画像処理装置と、
前記画像処理装置によって出力される前記修正後データまたは前記修正中データが表す画像をシートに形成する印刷処理装置と、を備える画像形成装置。
【請求項８】
処理対象の画像データである対象データを取得するステップと、
前記対象データから、原画像と、前記原画像に付加されている付加画像と、を抽出するステップと、
前記付加画像に、前記原画像の修正許可を示す識別画像と、前記識別画像に対応すると共に前記原画像に実行すべき修正処理を示す修正指示画像とが含まれるか否かを判定するステップと、
前記付加画像に前記識別画像及び前記修正画像が含まれると判定されている場合に、前記原画像に前記修正指示画像に基づく修正処理を施し、修正後画像を表す修正後データを生成および出力するステップと、
前記識別画像が前記付加画像に含まれていないと判定されている場合に、前記原画像に前記修正処理を施した前記修正後画像と、前記原画像が変更されていることを示す通知画像と、を含む修正中画像を表す修正中データを生成および出力するステップと、
をコンピューターに実行させるためのプログラム。
【発明の詳細な説明】
【技術分野】
【０００１】
本発明は、画像データを処理する画像処理装置、画像形成装置及びプログラムに関する。
【背景技術】
【０００２】
従来、原稿の校正又は校閲の担当者は、原本の電子データの印刷により得られる印刷物に、手書きで修正内容を記入することが多い。
【０００３】
また、画像処理装置が、手書き修正後の印刷物から画像を読み取り、読み取った画像における手書き修正部分を原稿の内容に反映させて、修正後の電子データを生成することが知られている（例えば特許文献１を参照）。
【先行技術文献】
【特許文献】
【０００４】
【特許文献１】特開２０１０−２４４４６６号公報
【発明の概要】
【発明が解決しようとする課題】
【０００５】
ところで、従来の画像処理装置は、画像を読み取った前記印刷物において修正部分が予め定められた様式に沿って記入されていれば、修正後の電子データを生成する。この場合、原本の電子データを誰もが容易に改変し更新できてしまう。
【０００６】
一方、画像処理装置が、周知の認証処理により、原本の電子データを修正する権限を有する予め登録された権限者によって操作された場合にのみ、修正後の電子データを生成することも考えられる。しかし、この場合には、前記権限を有さない無権限者は、画像処理装置を使用して前記修正後の電子データを確認することができなくなってしまう。そうすると、画像処理装置の利便性が損なわれる。
【０００７】
本発明の目的は、画像データの修正処理の利便性を向上させることが可能な画像処理装置、画像形成装置及びプログラムを提供することである。
【課題を解決するための手段】
【０００８】
本発明の一の局面に係る画像処理装置は、取得部と、抽出部と、判定部と、第１加工部と、第２加工部と、を備える。前記取得部は、処理対象の画像データである対象データを取得する。前記抽出部は、前記対象データから、原画像と、前記原画像に付加されている付加画像と、を抽出する。前記判定部は、前記付加画像に、前記原画像の修正許可を示す識別画像と、前記識別画像に対応すると共に前記原画像に実行すべき修正処理を示す修正指示画像とが含まれるか否かを判定する。前記第１加工部は、前記付加画像に前記識別画像及び前記修正画像が含まれると判定されている場合に、前記原画像に前記修正指示画像に基づく修正処理を施し、修正後画像を表す修正後データを生成および出力する。前記第２加工部は、前記識別画像が前記付加画像に含まれていないと判定されている場合に、前記原画像に前記修正処理を施した前記修正後画像と、前記原画像が変更されていることを示す通知画像と、を含む修正中画像を表す修正中データを生成および出力する。
【０００９】
本発明の他の局面に係る画像形成装置は、前記画像処理装置と、印刷処理装置と、を備える。印刷処理装置は、前記画像処理装置によって出力される前記修正後データまたは前記修正中データが表す画像をシートに形成する。
【００１０】
本発明の他の局面に係るプログラムは、処理対象の画像データである対象データを取得するステップと、前記対象データから、原画像と、前記原画像に付加されている付加画像と、を抽出するステップと、前記付加画像に、前記原画像の修正可否を示す識別画像と、前記識別画像に対応すると共に前記原画像に実行すべき修正処理を示す修正指示画像とが含まれるか否かを判定するステップと、前記付加画像に前記識別画像及び前記修正画像が含まれると判定されている場合に、前記原画像に前記修正指示画像に基づく修正処理を施し、修正後画像を表す修正後データを生成および出力するステップと、前記識別画像、または、前記識別画像に対応する前記修正指示画像が前記付加画像に含まれていないと判定されている場合に、前記原画像に前記修正処理を施し、前記修正後画像と、前記原画像が変更されていることを示す通知画像と、を含む修正中画像を表す修正中データを生成および出力するステップと、をコンピューターに実行させるためのプログラムである。
【発明の効果】
【００１１】
本発明によれば、画像データの修正処理の利便性を向上させることが可能な画像処理装置、画像形成装置及びプログラムを提供することができる。
【図面の簡単な説明】
【００１２】
【図１】図１は、本発明の第１実施形態に係る画像処理装置を備えている画像形成装置の構成を示す図である。
【図２】図２は、印刷物における修正指示及び識別情報を示す図である。
【図３】図３は、図１の画像処理装置によって実行される処理を示すフローチャートである。
【図４】図４は、通知画像の第１例を示す図である。
【図５】図５は、通知画像の第２例を示す図である。
【図６】図６は、本発明の第２実施形態に係る印刷物を示す図である。
【発明を実施するための形態】
【００１３】
以下添付図面を参照しながら、本発明の一実施形態について説明し、本発明の理解に供する。なお、以下の実施形態は、本発明を具体化した一例であって、本発明の技術的範囲を限定するものではない。この点は、後述の他の実施形態についても同様である。
【００１４】
［第１実施形態］
図１に示されるように、画像形成装置１は、第１実施形態に係る画像処理装置２を備える。画像形成装置１は、例えば、プリンター機能、スキャナー機能、コピー機能、及びファクシミリ機能などを有する複合機、又は印刷機である。
【００１５】
画像形成装置１は、画像処理装置２に加え、操作表示部１０、画像読取部１１、印刷処理装置１２、通信ＩＦ（InterFace）部１３及び記憶部１４等を備えている。本実施形態では、画像処理装置２が制御部１５を含む。
【００１６】
操作表示部１０は、情報を表示する液晶ディスプレーなどの表示装置と、ユーザーによる操作に基づく情報入力を受け付けるタッチパネル及び操作ボタン等の操作装置とを備える装置である。
【００１７】
画像読取部１１は、ＡＤＦ（Automatic Document Feeder）ガラス、原稿台ガラス、光源、ミラー、光学レンズ及びＣＣＤ（Charge Coupled Device）等を備えている。前記プラテンガラス上には、図示しないＡＤＦにより原稿が搬送されてくる。また、原稿台ガラス上にはユーザーにより原稿が載置される。画像読取部１１は、ＡＤＦガラス上又は原稿台ガラス上の原稿を光学的に走査して読み取り、原稿の内容を表す画像データを出力することが可能である。
【００１８】
印刷処理装置１２は、後述の制御部１５から送られてくる画像データが表す画像をシート上に形成し、画像形成後の前記シートを印刷物として出力する装置である。印刷処理装置１２は、印刷処理装置の一例である。なお、画像形成の方式は、電子写真方式又はインクジェット方式のいずれでもよい。印刷処理装置１２は、電子写真方式が採用される場合、感光体ドラム、帯電器、露光装置、現像装置、転写装置、定着装置等を備える。
【００１９】
通信ＩＦ部１３は、ネットワーク上の不図示の情報処理装置との間で所定の通信プロトコルに従う通信処理を実行することが可能である。
【００２０】
記憶部１４は、例えば、不揮発性の半導体メモリー又はハードディスクドライブ等を含むコンピューター読取可能な不揮発性の記憶装置である。
【００２１】
記憶部１４は、制御部１５により実行される各種制御プログラム、及び各種情報等を予め記憶する。
【００２２】
前記各種制御プログラムは、画像処理プログラム１４１を含む。画像処理プログラム１４１による処理については後述する。
【００２３】
また、前記各種情報は、例えば、本画像処理装置２における処理対象となる画像データの原本である原本データ１４２を含む。
【００２４】
原本データ１４２は、印刷処理装置１２または前記情報処理装置等によって出力される画像を表す電子データである。
【００２５】
また、原本データ１４２は、例えば、原稿を表す文書データである。なお、前記原稿は文字列のみを含む場合がある。また、前記原稿は写真又は図形のみを含む場合もある。前記原稿は他にも、文字列と、写真又は図形との両方を含む場合もある。
【００２６】
原本データ１４２は、所定のアプリケーションプログラムを前記情報処理装置が実行することで生成され、周知のセキュリティー設定情報を含むことがある。
【００２７】
より具体的には、前記セキュリティー設定情報は、例えば、前記情報処理装置を権限者が操作することにより、原本データ１４２に追加される。前記権限者とは、例えば、前記原本データ自体を編集又は更新する権限を有する者である。
【００２８】
前記セキュリティー設定情報としては、まず、前記権限者の署名を表す電子署名、または、前記権限者の印影を表す電子印鑑が考えられる。
【００２９】
他の前記セキュリティー情報としては、前記権限の無い無権限者による原本データ１４２の利用を制限するための設定情報が考えられる。より具体的には、前記設定情報は、前記原本データが読み取り専用等であることを示す。
【００３０】
図１に示される例では、記憶部１４は、画像形成装置１に内蔵されている。なお、記憶部１４を備える装置が、不図示のネットワークを通じて画像形成装置１と通信可能に接続された外部装置であってもよい。
【００３１】
ところで、従来、原稿の校正又は校閲の担当者は、原本データの印刷により得られる印刷物に、手書きで修正内容を記入することが多い。
【００３２】
また、従来の画像処理装置が、手書き修正後の印刷物から画像を読み取り、読み取った画像における手書き修正部分を原稿の内容に反映させて、修正後の電子データを生成することが知られている。
【００３３】
前記印刷物において修正部分が予め定められた修正規則に沿って記入されていれば、前記従来の画像処理装置は、修正後の電子データを生成する。この場合、前記原本データを誰もが容易に改変し更新できてしまう。
【００３４】
一方、別の従来の画像処理装置が、周知の認証処理により、原本データを修正する権限を有する予め登録されている権限者によって操作されている場合にのみ、修正後の電子データを生成することも考えられる。しかし、この場合には、前記権限を有さない無権限者は、前記別の従来の画像処理装置を使用して前記修正後の電子データを確認することができなくなってしまう。そうすると、前記別の画像処理装置の利便性が損なわれる。
【００３５】
そこで、本発明の目的は、画像データの修正処理の利便性を向上させることが可能な画像処理装置２及びプログラムを提供することである。
【００３６】
具体的には、図１において、制御部１５は、プロセッサーおよびＲＡＭ（Random Access Memory）などのメインメモリーを備える。前記プロセッサーは、前記メインメモリーを作業領域として使いつつ、記憶部１４に格納されている画像処理プログラム１４１を実行する。これにより、制御部１５は、前記プロセッサーにより実現される機能ブロックとして、取得部１５１と、抽出部１５２と、判定部１５３と、第１加工部１５４と、第２加工部１５５と、を備えることとなる。これら機能ブロック１５１〜１５５の一つ又は複数は電子回路で構成されていてもよい。
【００３７】
以下、図１及び図２に加え図３をさらに参照し、画像処理装置２の処理を説明するが、その説明に先立ち、前記原稿の修正作業について説明する。
【００３８】
本実施形態では、前記修正作業において、前記原稿の校閲又は校正を行うため、担当者は前記情報処理装置を操作する。前記情報処理装置は、担当者の操作に従って、記憶部１４内の原本データ１４２の印刷を、前記ネットワークを介して画像形成装置１に指示する。
【００３９】
画像形成装置１において、制御部１５は、通信ＩＦ部１３を介して記憶部１４からの原本データ１４２を受け取る。制御部１５は、受け取った原本データ１４２を印刷用データへ変換する。印刷処理装置１２は、前記印刷用データに基づき、例えば前記原稿を表す画像をシート上に形成する。さらに、印刷処理装置１２は、画像形成後の前記シートを印刷物として画像形成装置１から排出する。
【００４０】
前記担当者は、前記印刷物を用いて前記原稿の校閲作業を行う。前記担当者は、校閲作業中に原稿内容に軽微な誤りを見つけると、予め定められた修正規則に従って前記印刷物に修正内容を手書きで直接記入する。前記修正規則については、公知の手法を用いることができる。ここで、前記担当者は、前記修正内容を承認する権限は有しておらず、前記責任者による承認を受ける必要がある。従って、前記担当者は前記無権限者の一例であり、前記責任者は前記権限者の一例である。なお、前記権限者及び前記無権限者は、前記責任者及び前記担当者以外にも適宜人為的に定められればよい。
【００４１】
なお、前記責任者が、前記担当者と同様の手順で、前記印刷物に修正内容を直接記入することもある。前記責任者はさらに、自分で前記修正を行った場合、予め定められた記入規則に従って、修正部分と対応づけられる識別情報を、前記印刷物において前記修正部分とは異なる領域に追記する。
【００４２】
前記識別情報は、前記修正が前記責任者により実施されていることを示す情報である。前記識別情報は、前記責任者の署名又は印影等であることが考えられる。署名の場合、前記責任者は前記修正後に前記印刷物に手書きで記入する。印影の場合、前記責任者は前記修正後に前記印刷物に押印する。なお、前記担当者は、前記無権限者であるため、前記印刷物に前記識別情報を付さない。
【００４３】
前記記入規則の第１例は、前記修正対象箇所と予め定められた位置関係の領域に前記識別情報を追記する、という規則である。前記識別情報が追記される領域は、前記印刷物における前記修正対象箇所とは異なる領域である。例えば、前記位置関係が、前記修正対象箇所に対して予め定められた距離の範囲内に位置すること、および、前記修正対象箇所に対して予め定められた方向に位置すること、の一方又は両方であることが考えられる。
【００４４】
前記記入規則の第２例は、予め定められた承認用マークを、前記印刷物における前記修正対象箇所とは異なる領域に存在する識別情報に追記する、という規則である。例えば、前記承認用マークが、識別情報の両側に付加される括弧などの符号であることが考えられる。
【００４５】
前記記入規則の第３例は、予め定められた特定色を、前記印刷物における前記修正対象箇所とは異なる領域に存在する識別情報に追記する、という規則である。
【００４６】
また、前記入力規則が、前記第１例、前記第２例および前記第３例のうちの２つ又は３つの組み合わせであることも考えられる。
【００４７】
前記担当者又は前記責任者による前記手書き修正が実施されている印刷物を、手書き修正後印刷物と称する。
【００４８】
画像形成装置１の画像読取部１１には、前記手書き修正後印刷物がセットされる。画像読取部１１は、前記手書き修正後印刷物を表す画像である手書き修正後データを生成し制御部１５に出力する。手書き修正後データは例えばビットマップデータである。
【００４９】
以下、前記手書き修正後データの一例を、図２を参照して説明する。図２において、手書き修正後データ３は、原画像３１と、付加画像３２と、を含んでいる。
【００５０】
原画像３１は、主に、前記手書き修正後印刷物において元々含まれている前記文字列、前記写真又は前記図形を表す。
【００５１】
付加画像３２は、修正指示画像３２１を含む。
【００５２】
修正指示画像３２１は、前記責任者又は前記担当者による前記手書き修正を表し、原画像３１に実行すべき修正処理を示す。具体的には、修正指示画像３２１は、第１特徴画像３２１１と、第２特徴画像３２１２と、を含む。
【００５３】
第１特徴画像３２１１は、原画像３１が表す文字列等において修正すべき修正対象箇所を示す。第１特徴画像３２１１は、前記修正対象箇所を指示するマークであることが考えられる。なお、前記修正対象箇所は、主に原画像３１に含まれる文字列の部分であるが、原画像３１に含まれる写真等の部分であってもよい。
【００５４】
第２特徴画像３２１２は、修正の種類を示す。例えば、第２特徴画像３２１２は、修正の種類としての削除、挿入又は置き換えを示すマークであることが考えられる。
【００５５】
第２特徴画像３２１２が前記挿入又は前記置き換えを示す場合、修正指示画像３２１は、修正後の内容３２１３をさらに含む。
【００５６】
修正後の内容３２１３は、挿入される内容又は置き換え後の内容を示す。
【００５７】
図２に示される例において、第１特徴画像３２１１、第２特徴画像３２１２及び修正後の内容３２１３は、下記のような修正指示を表す。まず、原画像３１が文字列「ＡＢＣＤＥＦ」を含む。第１特徴画像３２１１は、原画像３１における文字列「ＣＤ」を修正対象箇所として示す。また、前記修正後の内容３２１３は文字列「ＢＤ」を示す。第２特徴画像３２１２は、前記修正の種類としての置き換えを示す。この場合、前記修正指示は、前記文字列「ＡＢＣＤＥＦ…」における前記文字列「ＣＤ」を、前記文字列「ＢＤ」に置き換えるという修正指示を表す。
【００５８】
前記手書き修正後印刷物が前記責任者により生成される場合、付加画像３２はさらに、識別画像３２２を含む。
【００５９】
識別画像３２２は、前記責任者により記録されている前記識別情報を表すと共に、原画像３１の修正許可を示すことになる。
【００６０】
なお、前記手書き修正後印刷物が前記担当者により生成される場合、識別画像３２２は付加画像３２には含まれない。
【００６１】
制御部１５において、取得部１５１は、手書き修正後画像データ３を、処理対象の画像データである対象データの一例として、画像読取部１１から取得する（図３；ステップＳ１０１）。取得部１５１は、前記対象データを抽出部１５２に渡す。
【００６２】
抽出部１５２は、前記対象データから、原画像３１と、原画像３１に付加されている付加画像３２と、を抽出する（ステップＳ１０２）。以下、抽出の具体的な手法を例示する。
【００６３】
記憶部１４には、前記対象データに対応する前記原本データが格納されている。ステップＳ１０２において、抽出部１５２は、記憶部１４から、前記原本データを取得し、前記手書き修正前の画像を表す修正前画像データを生成する。
【００６４】
さらに、抽出部１５２は、前記対象データが表す画像のうち、前記修正前画像データが表す画像と共通の内容を示す部分を、原画像３１として抽出する。
【００６５】
ここで、「実質的に共通する」とは、全く同一であることの他、予め定められた類似度の範囲内で相違することも含む。
【００６６】
また、抽出部１５２は、前記対象データが表す画像のうち、前記修正前画像データが表す画像と相違する内容を示す差分部分を付加画像３２として取得する。
【００６７】
ステップＳ１０２において、抽出部１５２はさらに、付加画像３２を判定部１５３に渡すと共に、原画像３１を第１加工部１５４及び第２加工部１５５に渡す。
【００６８】
判定部１５３は、付加画像３２を受け取ると、まず、ステップＳ１０２で読み出される前記原本データに前記セキュリティー情報が設定されているか否かを判定する（ステップＳ１０３）。
【００６９】
判定部１５３は、前記セキュリティー情報が設定されていないと判定する場合（ステップＳ１０３でＮＯ）、記憶部１４内の前記原本データの更新を誰でも自由に行えるため、後述のステップＳ１０８に処理を進める。
【００７０】
一方、判定部１５３は、前記セキュリティー情報が設定されていると判定する場合（ステップＳ１０３でＹＥＳ）、前記原本データの更新を自由に行えないため、処理をステップＳ１０４に進める。
【００７１】
判定部１５３は、ステップＳ１０４において、付加画像３２に手書き文字認識及び図形認識を含む画像認識処理を行う。
【００７２】
さらに、判定部１５３は、前記画像認識処理の結果に基づき、付加画像３２に、原画像３１の修正許可を示す識別画像３２２と、識別画像３２２に対応すると共に原画像３１に実行すべき修正処理を示す修正指示画像３２１とが含まれるか否かを判定する。
【００７３】
より具体的には、判定部１５３は、前記画像認識により、付加画像３２から予め定められた第１特徴画像３２１１及び第２特徴画像３２１２と、および第１特徴画像３２１１及び第２特徴画像３２１２に対応する画像を抽出する処理を実行する。
【００７４】
判定部１５３は、前記画像認識処理により第１特徴画像３２１１及び第２特徴画像３２１２の抽出が不成功の場合、付加情報３２に修正指示画像３２１が含まれていないと判定して（ステップＳ１０５でＮＯ）、図３の処理を終了する。
【００７５】
一方、判定部１５３は、第１特徴画像３２１１及び第２特徴画像３２１２の抽出に成功していると、第１特徴画像３２１１及び第２特徴画像３２１２に対応する画像が修正指示画像３２１であると判定する。
【００７６】
判定部１５３は、付加画像３２に修正指示画像３２１が含まれると判定すると（ステップＳ１０５でＹＥＳ）、処理をステップＳ１０６に進める。なお、修正指示画像３２１が修正後の内容３２１３を含む場合、ステップＳ１０５で修正後の内容３２１３も抽出される。
【００７７】
判定部１５３は、ステップＳ１０６においてさらに、識別画像３２２を認識するために、付加画像３２において修正指示画像３２１とは異なる領域から他の画像を抽出する処理を実行する。
【００７８】
前記識別情報は、前記印刷物において、前記修正とは異なる領域に、前記記入規則に従って記録される。従って、前記他の画像を抽出は、前記記入規則に適合する手法が採用される。具体的には下記の通りである。
【００７９】
前記識別情報が前記記入規則の第１例に基づき記録されている場合、識別画像３２２は、修正指示画像３２１とは異なる領域であり、かつ修正指示画像３２１に対して所定の位置関係を有する領域にある。従って、判定部１５３は、付加画像３２において修正指示画像３２１を基準として前記領域に存在する前記他の画像を識別画像３２２と判定し抽出する。
【００８０】
前記識別情報が前記第２例又は前記第３例に基づき記録されている場合、判定部１５３は以下の処理を実行する。即ち、判定部１５３は、付加画像３２において前記修正指示画像３２１とは異なる領域において前記承認用マーク又は前記特定色を有する前記他の画像を認識する処理を実行する。そして、判定部１５３は、前記承認用マーク又は前記特定色を有する前記他の画像を認識できた場合、当該他の画像を識別画像３２２と判定し抽出する。
【００８１】
判定部１５３は、付加画像３２において前記修正指示画像３２１とは異なる領域に前記他の画像が存在する場合に、付加情報３２に識別画像３２２が含まれていると判定し（ステップＳ１０７でＹＥＳ）、処理をステップＳ１０８に進める。
【００８２】
一方、判定部１５３は、識別情報３２２の抽出が不成功の場合、付加情報３２に識別画像３２２が含まれていないと判断して（ステップＳ１０７でＮＯ）、処理をステップＳ１１０に進める。
【００８３】
ステップＳ１０８において、判定部１５３は、第１加工部１５４に、修正指示画像３２１に基づく原画像３１への修正処理の実行を指示する。
【００８４】
判定部１５３の指示に応答して、第１加工部１５４は、修正指示画像３２１及びこれに対応する識別画像３２２が付加画像３２に含まれると判定部１５３により判定されている場合に、ステップＳ１０９の処理を実行する。ステップＳ１０９において、第１加工部１５４は、原画像３１に前記修正処理を施す。第１加工部１５４はさらに、修正後画像を表す修正後画像データを生成および出力する（ステップＳ１０９）。以下、ステップＳ１０９の具体的な処理を例示する。
【００８５】
第１加工部１５４は、例えば、原画像３１の二値化画像を生成し、この二値化画像に基づき、原画像３１から、前記文字列が含まれる文字画像領域と、前記写真及び／又は前記図形を含む非文字画像領域とを抽出する。
【００８６】
なお、原画像３１が前記文字列のみを含む場合、前記文字画像領域のみが抽出され、原画像３１が前記写真及び／又は前記図形のみを含む場合には、前記非文字画像領域のみが抽出される。また、前記文字画像領域及び前記非文字画像領域の抽出には、他の公知技術が適用されてもよい。
【００８７】
その後、第１加工部１５４は、原画像３１における前記文字画像領域に文字認識処理を実行することにより、原画像３１に含まれる文字列を文字コードで表すテキストデータを生成する。
【００８８】
次に、第１加工部１５４は、前記判定部１５３からの前記指示に応答して修正処理を行って、前記テキストデータに修正指示画像３２１に基づく文字列の修正を行う。
【００８９】
例えば、図２に示されるような前記修正指示であれば、前記テキストデータにおける前記文字列「ＣＤ」が前記文字列「ＢＤ」に置き換えられる。
【００９０】
また、原画像３１において第１特徴画像３２１１で指定されている特定の前記写真又は前記図形について、第２特徴画像３２１２により削除という修正処理が示されている場合もある。この場合、第１加工部１５４は、前記編集可能データにおいて特定の前記写真又は前記図形特定に対応する非文字画像領域を削除する。
【００９１】
さらに、第１加工部１５４は、例えば記憶部１４内の前記原本データを更新するために、前記修正処理後のテキストデータと、前記非文字画像領域とを用いて、前記原本データと実質的に同じレイアウトで同じ内容を表す編集可能データを生成する。前記編集可能データは、例えば、前記原本データと同じファイル形式を有する。
【００９２】
なお、前記編集可能データにも、前記原本データと同様のセキュリティー情報が設定されてもよい。
【００９３】
前記編集可能電子データは、前記修正後画像データの一例である。第１加工部１５４は、この編集可能データを記憶部１４に出力して、前記原本データを上書き保存してもよい。
【００９４】
また、第１加工部１５４は、印刷処理装置１３による印刷のために、前記編集可能電子データに基づきビットマップデータ等を生成してもよい。第１画像加工部１５４は、前記ビットマップデータを前記修正後画像データの他の一例として印刷処理装置１２に出力してもよい。印刷処理装置１２は、画像処理装置２からの前記修正後画像データに基づく画像を前記シートに形成して印刷物として排出する。
【００９５】
また、ステップＳ１１０において、判定部１５３は、第２加工部１５５に、修正指示画像３２１に基づく原画像３１の修正処理の実行を指示する。
【００９６】
判定部１５３の指示に応答して、第２加工部１５５は、識別画像３２２が付加画像３２に含まれていないと判定部１５３により判定される場合、第１加工部１５４と同様の手法で、修正指示画像３２１に基づく前記修正処理を原画像３１に施した画像を生成する（ステップＳ１１１）。
【００９７】
さらに、第２加工部１５５はさらに、前記修正処理が施されている画像と、原画像３１が変更されていることを示す通知画像とを含む修正中画像を表す修正中画像データを生成および出力する。この以下、通知画像について詳細に説明する。
【００９８】
図４に示すように、通知画像４１は、前記修正処理が施されている前記画像４２にオーバーレイされることが考えられる。
【００９９】
また、図５に示すように、通知画像４１が、前記修正処理が施されている画像４２における修正箇所に付加されている線画像又は色情報を含むことが考えられる。例えば、前記色情報は、画像４２における修正箇所の色を予め定められた色に変更する情報であることが考えられる。また、前記線画像は、画像４２における修正箇所に付加されている下線、取り消し線または囲み枠などの線画像であることも考えられる。また、通知画像４１が前記色情報と前記線画像との組み合わせであることも考えられる。
【０１００】
例えば、前記修正中データが前記情報処理装置で表示される場合、通知画像４１は、原画像３１が修正中であること、即ち、原画像３１における修正箇所が、前記責任者による承認を得ていないことを明確に示す。
【０１０１】
なお、前記修正中画像データは、前記印刷処理のためにビットマップデータ等とすることも考えられる。印刷処理装置１２は、画像処理装置２からの前記修正中データに基づく画像を前記シートに形成して印刷物として排出する。前記印刷物等において、通知画像４１は、同様の機能を発揮する。
【０１０２】
前記修正中画像データは、前記修正後画像データと同様に、記憶部１４への保存のために編集可能データとすることも考えられる。ここで、前記修正中画像データは、例えば記憶部１４に追加保存される。即ち、前記責任者が未承認であるため、記憶部１４内の原本データは更新されない。
【０１０３】
なお、前記責任者は、例えば前記情報処理装置を操作して、記憶部１４内の前記修正中画像データの修正内容を確認し承認する。その後、前記情報処理装置は、前記責任者の操作に従って、前記修正中画像データから通知画像を除去して、記憶部１４内の原本データを上書き保存することもできる。
【０１０４】
本画像処理装置２及び前記画像処理プログラム１４１によれば、制御部１５は、ステップＳ１０６，Ｓ１０８において付加画像３２に修正指示画像３２１及び識別画像３２２が含まれる場合に、原画像３１の修正が許可されていると判定して、第１加工部１５４として機能する。第１加工部１５４は、ステップＳ１０９において原画像３１に修正指示画像３２１に基づく修正処理を施し、修正後画像を表す修正後データを生成および出力する。
【０１０５】
また、制御部１５は、ステップＳ１０８において識別画像３２２が付加画像３２に含まれていない場合に、原画像３１の修正が許可されていないと判定して、第２加工部１５５として機能する。第２加工部１５５は、ステップＳ１１０において原画像３１に前記修正処理を施した前記修正後画像と、前記原画像が変更されていることを示す通知画像と、を含む修正中画像を表す修正中データを生成および出力する。
【０１０６】
第２加工部１５５及びステップＳ１１０の実行により、画像データの修正処理の利便性を向上させることが可能な画像処理装置２及び前記画像処理プログラム１４１を提供することができる。
【０１０７】
より具体的には、画像処理装置２及び画像処理プログラム１４１は、前記修正中データで記憶部１４内の前記原本データを更新しないが、前記修正中画像データを記憶部１４に追加保存する、もしくは、前記修正中データに基づく画像形成を制御する。これによって、画像データの修正処理の利便性を向上させることが可能な画像処理装置２及び画像処理プログラム１４１を提供することができる。
【０１０８】
［第２実施形態］
以下、本発明に係る第２実施形態について説明する。なお、以下に説明する他の実施形態において、前記第１実施形態と同様の構成には同一参照符号を付与し、それぞれの説明を控える。
【０１０９】
第２実施形態では、図６に示すように、手書き修正後データ３ａは、手書き修正後データ３と比較すると、基準識別画像３３ａを含んでいる。
【０１１０】
手書き修正の対象となる印刷物において、修正対象箇所とは無関係な箇所には、前記責任者の署名又は印影を記録する記録欄が設けられている。
【０１１１】
前記責任者又は前記担当者は、前記印刷物に、第１実施形態と同様の手書きで修正を実施する。
【０１１２】
前記責任者は、第１実施形態と同様、前記修正と対応づけられる識別情報として、前記署名又は前記印影を前記印刷物に記録する。
【０１１３】
前記責任者はさらに、前記記録欄にも、署名又は印影を、基準識別情報として記録する。
【０１１４】
なお、前記基準識別情報は、前記責任者が前記印刷物に修正内容を記入する際に記録されてもよい。前記基準識別情報は、前記責任者が前記印刷物を修正する前に予め記録されていてもよい。
【０１１５】
また、前記識別情報が署名の場合には、前記基準識別情報も署名である。前記識別情報が印影の場合には、前記基準識別情報も印影である。
【０１１６】
手書き修正後データ３ａにおいて、基準識別画像３３ａは、前記記録欄により記録されている前記基準識別情報を表すと共に、前記識別画像３２２と共に、前記印刷物への前記修正許可を示す。
【０１１７】
制御部１５は、手書き修正後データ３ａを処理対象の画像データである対象データとするため、前述のステップＳ１０４〜ステップＳ１０７の代わりに、下記処理を実行する。
【０１１８】
制御部１５は、前記対象データから基準識別画像３３ａ及び識別画像３２２を抽出し、識別画像３２２により示される署名又は印影が基準識別画像３３ａにより示される署名又は印影に一致すると判定すると、第１実施形態と同様の前記修正後画像データを生成し出力する。
【０１１９】
一方、制御部１５は、前記対象データから基準識別画像３３ａ及び識別画像３２２を抽出し、識別画像３２２により示される署名又は印影が基準識別画像３３ａにより示される署名又は印影に一致しないと判定すると、第１実施形態と同様の前記修正中画像データを生成し出力する。
【０１２０】
第２実施形態によれば、前記第１実施形態における原本データ１４１が無くとも、識別画像３２２及び基準識別画像３３ａにより、前記修正後画像データ又は前記修正中画像データを生成することができる。
【符号の説明】
【０１２１】
１  画像形成装置
２  画像処理装置
１４  記憶部
１５  制御部
１５１  取得部
１５２  抽出部
１５３  判定部
１５４  第１加工部
１５５  第２加工部
【図１】
2019102873.tif 000003
【図２】
2019102873.tif 000004
【図３】
2019102873.tif 000005
【図４】
2019102873.tif 000006
【図５】
2019102873.tif 000007
【図６】
2019102873.tif 000008